(57)【要約】【課題】簡単な構造で、且つ、印刷指に苦痛を感じさせることなく印刷指を固定することができるネイルプリント装置を提供すること。【解決手段】ネイルプリント装置１において、印刷指挿入部２０ａに挿入された印刷指と非印刷指挿入部２０ｂに挿入された非印刷指とで、印刷指挿入部２０ａと非印刷指挿入部２０ｂとの間に位置する掴み部２０ｃを滑り止め２３を介して挟持するので、指の滑りが防止され印刷指の固定がより確実にでき、腕の震えなどが生じている場合でも、印刷指に正確で確実な印刷を行うことができるとともに、印刷指Ｕ１の固定に当たり拘束具を使用しないので、印刷指Ｕ１が窮屈にならず、苦痛を感じさせることもなくなる。【選択図】  図３
2012005666.tif 000002
【特許請求の範囲】
【請求項１】
印刷を行おうとする爪に対応する指が印刷指として挿入される印刷指挿入部と、
前記印刷指挿入部の近傍位置に設けられ印刷を行なわない指が非印刷指として挿入される非印刷指挿入部と、
前記印刷指挿入部と前記非印刷指挿入部との間に設けられ、且つ、前記印刷指挿入部に挿入された前記印刷指と前記非印刷指挿入部に挿入された前記非印刷指とで挟持可能な掴み部と、
前記印刷指挿入部に挿入された前記印刷指の爪に印刷を施す印刷手段とを備え、
前記掴み部の少なくとも１つの面には滑り止めが形成されていることを特徴とするネイルプリント装置。
【請求項２】
前記滑り止めとして滑り止め用溝が形成されていることを特徴とする請求項１に記載のネイルプリント装置。
【請求項３】
前記印刷指挿入部側の面に前記滑り止めとして低反発弾性部材層が形成されていることを特徴とする請求項１に記載のネイルプリント装置。
【請求項４】
前記印刷指挿入部側の面に前記滑り止めとして低反発弾性部材層が形成され、前記非印刷指挿入部側の面に前記滑り止めとしてゴム層が形成されていることを特徴とする請求項１に記載のネイルプリント装置。
【請求項５】
前記印刷指挿入部は、前記印刷指として親指を除く４本の指を平面的に並べた状態で挿入可能な開口面積を有する挿入部であり、前記非印刷指挿入部は、前記非印刷指として少なくとも親指が挿入可能な開口面積を有する挿入部であり、前記印刷手段は、前記印刷指挿入部に前記４本の指が前記印刷指として挿入された際にまとめて該４本の指の爪に印刷を施すことが可能に構成されていることを特徴とする請求項１から４いずれか一項に記載のネイルプリント装置。
【請求項６】
前記印刷指挿入部は、少なくとも親指が前記印刷指として挿入可能な開口面積を有する挿入部であり、前記非印刷指挿入部は、親指を除く４本の指が前記非印刷指として挿入可能な開口面積を有する挿入部であり、前記印刷手段は、前記印刷指挿入部に複数の指が前記印刷指として挿入された際にまとめて該複数の指の爪に印刷を施すことが可能に構成されていることを特徴とする請求項１から４いずれか一項に記載のネイルプリント装置。
【請求項７】
前記印刷指挿入部は、前記印刷指として少なくとも両手の親指を平面的に並べた状態で挿入可能な開口面積を有する挿入部であり、前記非印刷指挿入部は、前記非印刷指として両手の親指以外の指を各手で上下に重ね合わせた状態で挿入可能な開口面積を有する挿入部であり、前記印刷手段は、前記印刷指挿入部に複数の指が前記印刷指として挿入された際にまとめて該複数の指の爪に印刷を施すことが可能に構成されていることを特徴とする請求項１から４いずれか一項に記載のネイルプリント装置。
【請求項８】
前記印刷指挿入部に挿入された前記印刷指を撮影して画像データを取得する撮影手段と、前記撮影手段により生成された画像データから爪データを生成し該爪データに基づいて前記印刷手段に前記印刷指の爪に印刷をさせる制御手段とを更に備えることを特徴とする請求項５から７いずれか一項に記載のネイルプリント装置。
【発明の詳細な説明】
【技術分野】
【０００１】
本発明は、ネイルプリント装置に関するものである。
【背景技術】
【０００２】
ネイルプリント装置は、印刷しようとする爪の指である印刷指を、装置本体に設けた載置台上に載置し、この印刷指の爪に印刷するプリンタ装置である。しかし、印刷指を載置台上に載せただけの場合には、手が不安定な状態にあるため、手や腕の動きが印刷指に伝わり、印刷指が動いてしまう虞がある。これを防ぐために、上記ネイルプリント装置の中には、印刷指が動かないようにホルダ等の拘束具によって印刷指を固定するものが知られている（例えば、特許文献１）。
【先行技術文献】
【特許文献】
【０００３】
【特許文献１】特開２０００−１９４８３８号公報
【発明の概要】
【発明が解決しようとする課題】
【０００４】
しかし、拘束具によって印刷指を拘束しようとすると、印刷指が窮屈になって苦痛を感じさせるという問題が生じる。
【０００５】
本発明は、このような実情に鑑みてなされたもので、簡単な構造で、且つ、苦痛を感じさせることなく印刷指を固定することができるネイルプリント装置を提供することを目的とする。
【課題を解決するための手段】
【０００６】
請求項１に記載のネイルプリント装置は、
印刷を行おうとする爪に対応する指が印刷指として挿入される印刷指挿入部と、
前記印刷指挿入部の近傍位置に設けられ印刷を行なわない指が非印刷指として挿入される非印刷指挿入部と、
前記印刷指挿入部と前記非印刷指挿入部との間に設けられ、且つ、前記印刷指挿入部に挿入された前記印刷指と前記非印刷指挿入部に挿入された前記非印刷指とで挟持可能な掴み部と、
前記印刷指挿入部に挿入された前記印刷指の爪に印刷を施す印刷手段とを備え、
前記掴み部の少なくとも１つの面には滑り止めが形成されていることを特徴とする。
【０００７】
請求項２に記載のネイルプリント装置は、請求項１に記載のネイルプリント装置であって、前記滑り止めとして滑り止め用溝が形成されていることを特徴とする。
【０００８】
請求項３に記載のネイルプリント装置は、請求項１に記載のネイルプリント装置であって、前記印刷指挿入部側の面に前記滑り止めとして低反発弾性部材層が形成されていることを特徴とする。
【０００９】
請求項４に記載のネイルプリント装置は、請求項１に記載のネイルプリント装置であって、前記印刷指挿入部側の面に前記滑り止めとして低反発弾性部材層が形成され、前記非印刷指挿入部側の面に前記滑り止めとしてゴム層が形成されていることを特徴とする。
【００１０】
請求項５に記載のネイルプリント装置は、請求項１から４いずれか一項に記載のネイルプリント装置であって、前記印刷指挿入部は、前記印刷指として親指を除く４本の指を平面的に並べた状態で挿入可能な開口面積を有する挿入部であり、前記非印刷指挿入部は、前記非印刷指として少なくとも親指が挿入可能な開口面積を有する挿入部であり、前記印刷手段は、前記印刷指挿入部に前記４本の指が前記印刷指として挿入された際にまとめて該４本の指の爪に印刷を施すことが可能に構成されていることを特徴とする。
【００１１】
請求項６に記載のネイルプリント装置は、請求項１から４いずれか一項に記載のネイルプリント装置であって、前記印刷指挿入部は、少なくとも親指が前記印刷指として挿入可能な開口面積を有する挿入部であり、前記非印刷指挿入部は、親指を除く４本の指が前記非印刷指として挿入可能な開口面積を有する挿入部であり、前記印刷手段は、前記印刷指挿入部に複数の指が前記印刷指として挿入された際にまとめて該複数の指の爪に印刷を施すことが可能に構成されていることを特徴とする。
【００１２】
請求項７に記載のネイルプリント装置は、請求項１から４いずれか一項に記載のネイルプリント装置であって、前記印刷指挿入部は、前記印刷指として少なくとも両手の親指を平面的に並べた状態で挿入可能な開口面積を有する挿入部であり、前記非印刷指挿入部は、前記非印刷指として両手の親指以外の指を各手で上下に重ね合わせた状態で挿入可能な開口面積を有する挿入部であり、前記印刷手段は、前記印刷指挿入部に複数の指が前記印刷指として挿入された際にまとめて該複数の指の爪に印刷を施すことが可能に構成されていることを特徴とする。
【００１３】
請求項８に記載のネイルプリント装置は、請求項５から７いずれか一項に記載のネイルプリント装置であって、前記印刷指挿入部に挿入された前記印刷指を撮影して画像データを取得する撮影手段と、前記撮影手段により生成された画像データから爪データを生成し該爪データに基づいて前記印刷手段に前記印刷指の爪に印刷をさせる制御手段とを更に備えることを特徴とする。
【発明の効果】
【００１４】
本発明によれば、ネイルプリントの際に印刷指と非印刷指とで掴み部を挟持することで印刷指が固定されるため、腕の震えなどが生じている場合でも、その震えが印刷指に伝達されることが抑制される。その結果、適切な印刷が可能となる。
また、ネイルプリントの際に印刷指を型や板等の拘束具で固定する方式を採用しないため、印刷指が窮屈になることが抑制され、苦痛を感じさせることもない。
さらに、掴み部の少なくとも１つの面には滑り止めが形成されているので、掴み部を挟持する印刷指及び／又は非印刷指の滑りが防止されるので、印刷指をより確実に固定することができる。
【図面の簡単な説明】
【００１５】
【図１】本発明に係るネイルプリント装置の一実施形態を概念的に示した斜視図で、蓋体を開いた状態を示している。
【図２】図１のネイルプリント装置の装置本体を概念的に示した斜視図である。
【図３】図１のネイルプリント装置の要部である印刷指固定部を示した断面図で、印刷指として親指を除く４本の指を印刷指挿入部に挿入した際の固定態様を示している。
【図４】図１のネイルプリント装置の要部である印刷指固定部を示した断面図で、印刷指として親指を印刷指挿入部に挿入した際の固定態様を示している。
【図５】図１のネイルプリント装置の要部である印刷指固定部を示した断面図で、印刷指として親指を印刷指挿入部に挿入した際の他の固定態様を示している。
【図６】図２における装置本体を正面側から見た場合の断面図である。
【図７】図２における装置本体を右側から右側面側から見た場合の断面図である。
【図８】図１のネイルプリント装置の制御手段を示したブロック図である。
【図９】ネイルプリント装置の印刷指固定手段の変形例を示す図である。
【図１０】ネイルプリント装置の印刷指固定部の他の変形例を示す図であり、（Ａ）は滑り止め用溝の一例を示す隔壁（掴み部）の平面図、（Ｂ）は滑り止め用溝の他例を示す隔壁（掴み部）の平面図である。
【発明を実施するための形態】
【００１６】
以下に、本発明に係るネイルプリント装置の実施形態について図面を参照しながら説明する。
【００１７】
このネイルプリント装置１は、図１に示すように、ケース本体２及び蓋体４を備えている。このケース本体２及び蓋体４は、ケース本体２の上面後端部に設けたヒンジ３を介して、互いに連結されている。
【００１８】
上記ケース本体２は平面視で長円状に形成されている。このケース本体２の前側には開閉板２ｃが起倒可能に設けられている。この開閉板２ｃは、ケース本体２の前面下端部に設けたヒンジ（図示せず）を介して、ケース本体２に連結されている。この開閉板２ｃは、ケース本体２の前面を開閉するためのものである。このケース本体２の前面が開放された状態で、ネイルプリント装置１は使用される。また、ケース本体２の天板２ｆの中央部には後述する操作盤５２が設置されている。
【００１９】
また、図２に示すように、ケース本体２にはネイルプリント装置１の装置本体１０が収容されている。この装置本体１０は、印刷指固定手段を構成している印刷指固定部２０、撮影手段を構成している撮影部３０、印刷手段を構成している印刷部４０及び制御手段を構成している制御部５０（図８参照）を備えている。これら印刷指固定部２０、撮影部３０、印刷部４０及び制御部５０は機枠１１に設けられている。
なお、機枠１１は下部機枠１１ａ及び上部機枠１１ｂから構成されている。そして、下部機枠１１ａは箱状に形成され、ケース本体２の内部下方に設置されている。一方、上部機枠１１ｂは下部機枠１１ａの上方で且つケース本体２の内部上方に設置されている。
【００２０】
上記印刷指固定部２０は、機枠１１の中の下部機枠１１ａに設けられている。この印刷指固定部２０は、下部機枠１１ａに設けられた印刷指挿入部２０ａ、非印刷指挿入部２０ｂ及び掴み部２０ｃによって構成されている。
ここで、印刷指挿入部２０ａは、印刷しようとする爪Ｔに対応する印刷指Ｕ１を挿入するめための指挿入部である。
また、非印刷指挿入部２０ｂは、印刷指以外の非印刷指Ｕ２を挿入するための指挿入部である。
また、掴み部２０ｃは、印刷指挿入部２０ａに挿入された印刷指Ｕ１と、非印刷指挿入部２０ｂに挿入された非印刷指Ｕ２とで挟持可能な部分である。この掴み部２０ｃは印刷指挿入部２０ａと非印刷指挿入部２０ｂとを仕切る隔壁２１によって構成されている。
【００２１】
上記隔壁２１の上面は平坦な印刷指載置面を構成している。この隔壁２１の指挿入側端部には膨出部２２が形成されている。この膨出部２２は、印刷指挿入部２０ａ及び非印刷指挿入部２０ｂに印刷指Ｕ１及び非印刷指Ｕ２を振り分けて深く挿入した際に、印刷指Ｕ１及び非印刷指Ｕ２の付け根が当接する部分に形成されている。この膨出部２２は、印刷指Ｕ１と非印刷指Ｕ２とで隔壁２１（掴み部２０ｃ）を挟持する際に、印刷指Ｕ１と非印刷指Ｕ２との付け根で包持されるものである。ここで「包持」とは、印刷指Ｕ１と非印刷指Ｕ２との付け根が当接し、膨出部２２を掴めることである。この膨出部２２の包持によって、手首の左右の振れや上下の振れが抑制されて、手先を安定させることができる。この膨出部２２は、図３から図５に示すように、指の挿入方向に沿った断面で見た場合（側面視で）、隔壁２１の下面から下方に向けて膨出するように円形となっている。なお、膨出部２２の形状は、断面円形に限定されることなく、断面楕円形，断面多角形等の非円形であってもよい。要は、印刷指Ｕ１と非印刷指Ｕ２との付け根で包持される形状であればよい。
なお、膨出部２２の大きさ、すなわち、隔壁２１の厚み方向の厚みは、印刷指Ｕ１と非印刷指Ｕ２との付け根が膨出部２２に十分に当接するように、１〜２ｃｍ程度が好ましく、隔壁２１の厚みは、指先の腹が隔壁２１にしっかりと圧接できるように、膨出部２２の厚みよりも０．５〜１ｃｍ程度小さいことが好ましい。
【００２２】
また、隔壁２１の上面及び下面には、隔壁２１（摘み部２０ｃ）を挟持する際に印刷指Ｕ１及び非印刷指Ｕ２が滑らないようにするための滑り止め２３が形成されている。この滑り止め２３によって、印刷指Ｕ１と非印刷指Ｕ２とで隔壁２１を上下から挟持した際に、印刷指Ｕ１及び非印刷指Ｕ２の横方向及び前後方向の滑りが防止される。滑り止め２３は、隔壁２１の上面及び下面の一方に形成すれば足りる。滑り止め２３を隔壁２１の上面に形成すれば、印刷指Ｕ１の滑りが直接防止される。一方、滑り止め２３を隔壁２１の下面に形成すれば、非印刷指Ｕ２の滑りが防止され、これによって、該非印刷指Ｕ２との間で隔壁２１を挟持している印刷指Ｕ１がより確実に固定される。この滑り止め２３は、印刷指Ｕ１と非印刷指Ｕ２との付け根で膨出部２２を包持しないときにも有効に働く。
この滑り止め２２は、例えば、隔壁２１の上面および下面に弾性フォーム等のシートを貼り付けることによって形成される。図３から図５にはこの例が示されている。ここでは、上面に軟質ウレタンフォーム等のような弾性を抑え、粘性を高めた、低反発弾性フォーム（低反発弾性部材層）２３ａを貼着し、下面にゴム等の弾性フォーム２３ｂを貼着している。上面及び下面共に、同じ素材の滑り止めを形成してもよい。ただし、上面を低反発弾性フォーム２３ａとする場合には、隔壁２１の挟持の際に印刷指Ｕ１を全体的に沈み込ませ、一方、下面をゴム等の弾性フォーム２３ｂとすることで、非印刷指Ｕ２を隔壁２１の下面に強く圧接させることができるので、印刷指を疲れさせることなく、より確実に固定することが可能となる。
なお、この場合の滑り止め２３は指が当たる部分だけに形成されていてもよい。
また、滑り止め２２は、図１０（Ａ）、（Ｂ）に示すように、隔壁２１の上面及び／又は下面に格子状、波状等の滑り止め用溝２３ｃを直接刻設したり、波状，格子状の溝を形成したプレートを隔壁２１に貼設したりすることによって形成することもできる。上面及び下面に滑り止め用溝２３ｃを形成する場合には、上面の溝と下面の溝の形状を違えることもできる。また、上面及び下面に滑り止め２３を形成する場合には、滑り止め用溝２３ｃの上記弾性フォーム等のシートとの組み合わせも可能である。この場合の滑り止め用溝２３ｃは指の腹が食い込み、滑り止めを行うことができるものであれば足りる。また、滑り止め用溝２３ｃは指が当たる部分だけに形成されていてもよい。
【００２３】
図３から図５には印刷指の固定態様が具体的に示されている。
実施形態のネイルプリント装置１では、親指以外の４本の指（人差し指、中指、薬指及び小指）が印刷指となる場合と、親指が印刷指となる場合がある。
図３には親指以外の４本の指が印刷指Ｕ１となる場合の固定態様が示されている。この場合、親指以外の４本の印刷指Ｕ１が平面的に並んだ状態で印刷指挿入部２０ａに挿入され、非印刷指Ｕ２である親指が非印刷指挿入部２０ｂに挿入される。そして、印刷指Ｕ１と非印刷指Ｕ２とで滑り止め２３を介して掴み部２０ｃを挟持することで印刷指Ｕ１が固定される。この場合、人差し指と親指との付け根或いは手のひらで膨出部２２を抱持すれば、手先が安定するので、印刷指Ｕ１の固定がより確実となる。
また、図４には親指が印刷指Ｕ１ａとなる場合の固定態様が示されている。この場合、印刷指Ｕ１ａである親指が印刷指挿入部２０ａに挿入され、親指以外の４本の非印刷指Ｕ２ａが平面的に並んだ状態で非印刷指挿入部２０ｂに挿入される。そして、印刷指Ｕ１ａと非印刷指Ｕ２ａとで滑り止め２３を介して掴み部２０ｃを挟持することで印刷指Ｕ１ａが固定される。この場合も、人差し指と親指との付け根で膨出部２２を抱持すれば、手先が安定するので、印刷指Ｕ１ａの固定がより確実となる。
また、図５には親指が印刷指Ｕ１ａとなる場合の他の固定態様が示されている。この場合、印刷指Ｕ１ａである親指が印刷指挿入部２０ａに挿入され、親指以外の４本の非印刷指Ｕ２ａが上下方向に重ね合わさった状態で非印刷指挿入部２０ｂに挿入される。そして、印刷指Ｕ１ａと非印刷指Ｕ２ａである人差し指とで滑り止め２３を介して掴み部２０ｃを挟持することで印刷指Ｕ１ａが固定される。この場合も、人差し指と親指との付け根部分で膨出部２２を抱持すれば、手先が安定するので、印刷指Ｕ１ａの固定がより確実となる。
なお、図４及び図５の説明では印刷指をＵ１ａ、非印刷指をＵ２ａとしているが、印刷指及び非印刷指を総称する場合には符号Ｕ１及びＵ２を用いるものとする。
【００２４】
次に、撮影部３０について説明する。この撮影部３０は、図２、図６及び図７に示すように、機枠１１の中の上部機枠１１ｂに設けられている。
すなわち、上部機枠１１ｂに設置された基板３１の中央部下面には、ドライバーを内蔵した２００万画素程度以上の画素を有するカメラ３２が設置されている。また、基板３１には、カメラ３２を囲むように白色ＬＥＤ等の照明灯３３が設置されている。この撮影部３０は、このカメラ３２及び照明灯３３を含んで構成されている。この撮影部３０は、照明灯３３によって印刷指Ｕ１を照明し、カメラ３２によってその印刷指Ｕ１を撮影し、指画像データを取り込むためのものである。この撮影部３０は、後述する制御部５０の制御装置５１に接続され、該制御装置５１によって制御される。
【００２５】
また、印刷部４０は、図２、図６及び図７に示すように、機枠１１に設けられている。
すなわち、上部機枠１１ｂの両側板に２本のガイドロッド４１が平行に架設されている。このガイドロッド４１には、主キャリッジ４２が摺動自在に設置されている。また、主キャリッジ４２の前壁４２ａおよび後壁４２ｂには２本のガイドロッド４４が平行に架設されている。このガイドロッド４４には、副キャリッジ４５が摺動自在に設置されている。この副キャリッジ４５の下面中央部に印刷ヘッド４６が搭載されている。
そして、主キャリッジ４２は動力伝達部（図示せず）を介してモータ４３に連結され、モータ４３の正逆回転によって、ガイドロッド４１に沿って左右方向に移動する。また、副キャリッジ４５は動力伝達部（図示せず）を介してモータ４７に連結され、モータ４７の正逆回転によって、ガイドロッド４４に沿って前後方向に移動する。この主キャリッジ４２及び副キャリッジ４５の移動と、印刷反吐４６からのインクの吐出とによって、印刷指挿入部２０ａに挿入された印刷指Ｕ１の爪Ｔへの印刷が可能となる。
なお、印刷ヘッド４６にインクを供給するためのインクカートリッジ４８は下部機枠１１ａに設けられている。
印刷部４０は、これらガイドロッド４１、主キャリッジ４２、モータ４３、ガイドロッド４４、副キャリッジ４５、印刷ヘッド４６、モータ４７及びインクカートリッジ４８等を含んで構成されている。
【００２６】
また、制御部５０は上部機枠１１ｂに設けられている。この制御部５０は、図８に示すように、基板３１等に設置された制御装置５１と、ケース本体２の天板２ｆの中央部に設けられた液晶タッチパネル等からなる操作盤５２とを備えている。制御装置５１はＲＯＭやＲＡＭを含み、この制御装置５１には印刷すべきネイル画像パターン（爪に印刷すべき各種デザイン）等の各種データや、読み取りプログラム及び印刷プログラム等の各種プログラムが格納されている。この制御装置５１はこのプログラムを実行したり、ネイルプリンタ装置１の各部を統括制御したりする。操作盤５２には、図８に示すように、例えば、電源スイッチ５２ａ、パターン選択スイッチ５２ｂ、読み取りスイッチ５２ｃ及び印刷スイッチ５２ｄ等が配置されている。
【００２７】
特に本実施形態においては、制御装置５１は、撮影部３０及び印刷部４０等を制御する制御手段として機能する。
具体的には、制御装置５１は、電源スイッチ５２ａがＯＮの状態で、読み取りスイッチ５２ｃが操作されると、撮影部３０を通じて印刷指Ｕ１の画像データを取得し、この画像データに基づいて、印刷指Ｕ１の爪Ｔの位置・大きさ・範囲等の爪データを生成し、印刷部４０による印刷の位置・範囲等を決定する。
また、制御装置５１は、パターン選択スイッチ５２ｂから入力される情報に基づいて、ＲＯＭ等に格納されているネイル画像パターンの中から印刷すべきネイル画像パターンを選択しＲＡＭに格納する。そして、印刷スイッチ５２ｄが操作されると、該ネイル画像パターンのデータを印刷部４０に出力し、印刷部４０を制御して印刷指Ｕ１の各爪Ｔに選択された画像パターンを印刷させる。
【００２８】
なお、このネイルプリント装置１では、印刷指挿入部２０ａに挿入した印刷指Ｕ１の爪Ｔに同時に印刷が施されるようになっている。ここで「同時に印刷」とは、一度機に印刷指挿入部２０ａに挿入した印刷指Ｕ１を取り出すことなく、必要であれば全ての印刷指Ｕ１に印刷できることを意味する。
例えば、人差し指、中指、薬指及び小指の爪Ｔに印刷を施したい場合には、図３に示すように、印刷指挿入部２０ａに人差し指、中指、薬指及び小指である印刷指Ｕ１を平面的に並べて挿入し、非印刷指挿入部２０ｂに親指を挿入すれば、印刷指挿入部２０ａに一旦挿入した人差し指、中指、薬指及び小指の印刷指Ｕ１を該印刷指挿入部２０ａから抜くことなく、各指の爪Ｔに所定のネイル画像パターンを印刷することができる。
【００２９】
なお、撮影部３０および印刷部４０の制御は、他の一般的なプリンタ制御と同様な方法によって実施することができ、ネイル画像パターンの選択方法も、他の一般的な図形選択方法によって実施することができる。
【００３０】
以上のネイルプリント装置１によれば次のような効果が得られる。
ネイルプリントの際に印刷指Ｕ１と非印刷指Ｕ２とで掴み部２０ｃを挟持することで印刷指Ｕ１が固定されるため、腕の震えなどが生じている場合でも、その震えが印刷指Ｕ１に伝達されることが抑制される。その結果、適切な印刷が可能となる。
また、ネイルプリントの際に印刷指Ｕ１を型や板等の拘束具で固定する方式を採用しないため、印刷指Ｕ１が窮屈になることが抑制され、苦痛を感じさせることもない。
さらに、膨出部２２の包持によって、手首の左右の振れや上下の振れが抑制されて、手先をより安定させることができる。
また、掴み部の少なくとも１つの面には滑り止めが形成されているので、掴み部２０ｃを挟持する印刷指Ｕ１及び／又は非印刷指Ｕ２の滑りが防止されるので、印刷指Ｕ１をより確実に固定することができる。
また、隔壁２１を掴んだ際、印刷指Ｕ１と非印刷指Ｕ２は、滑り止め２３によって滑ることなく、確実に隔壁２１を捕えることができる。特に、隔壁２１の上面に低反発弾性フォーム２３ａを配設した場合には、印刷指Ｕ１が全体的に沈み込むため、印刷指Ｕ１が確実に位置決めされる。さらに、隔壁２１の下面にゴム等の弾性フォーム２３ｂを配設した場合には、非印刷指Ｕ２が沈み込むため、しっかりと捕えることができ、印刷指Ｕ１がさらに確実に位置決めされる。
【００３１】
以上、本発明の実施形態について説明したが、本発明は、かかる実施形態に限定されず、その要旨を逸脱しない範囲で、種々変形が可能であることは言うまでもない。
例えば、上記実施形態では、膨出部２２を、図３から図５に示すように、指の挿入方向に沿った断面で見た場合（側面視で）、隔壁２１の下面から下方に向けて膨出するように円形としたが、図９に示すように、膨出部２２を、図３から図５に示すように、指の挿入方向に沿った断面で見た場合（側面視で）、隔壁２１の上面及び下面から上方及び下方に向けて膨出するように円形としてもよい。また、この場合も、膨出部２２の形状は、断面円形に限定されることなく、断面楕円形，断面多角形等の非円形であってもよい。要は、印刷指Ｕ１と非印刷指Ｕ２との付け根で包持される形状であればよい。
【００３２】
また、上記実施形態では、片手の指の爪を印刷する場合について述べたが、両手の指の爪の印刷を同時に行うこともできる。この場合、例えば、図３に示すようにして、両手の４本の指を印刷指挿入部２０ａに並べて同時に入れるようにしたり、図４及び図５に示すようにしたりして、両手の親指を同時に挿入する。ただし、両手の親指を同時に挿入する場合には、図５の場合、図４の場合に比べて、ネイルプリント装置１の横幅を小さくすることができるので有利である。
【符号の説明】
【００３３】
１    ネイルプリント装置
２    ケース本体
４    蓋体
２０ａ    印刷指挿入部
２０ｂ    非印刷指挿入部
２０ｃ    掴み部（隔壁）
２０    印刷指固定部
３０    撮影部
３２    カメラ
３３    照明灯（ＬＥＤ）
４０    印刷部
５０    制御部
【図１】
2012005666.tif 000003
【図２】
2012005666.tif 000004
【図３】
2012005666.tif 000005
【図４】
2012005666.tif 000006
【図５】
2012005666.tif 000007
【図６】
2012005666.tif 000008
【図７】
2012005666.tif 000009
【図８】
2012005666.tif 000010
【図９】
2012005666.tif 000011
【図１０】
2012005666.tif 000012